(57)【要約】      （修正有）【課題】中型や小型の庭の芝生を清掃できるだけでなく、芝生に捨てられたごみを清掃して押し倒された苗をも改めて立てるようにする芝生ブラシを提供する。【解決手段】ハンドル１と、ホルダ本体２と、挿入用溝３とを備える芝生ブラシにおいて、挿入用溝３がホルダ本体２の下部に穿設され、ハンドル１の下部に弾性ピン５が設けられ、挿入用溝３の内に若干のブラシワイヤ４が穿設され、ホルダ本体２の上部に盲穴１５が設けられ、盲穴１５の一方の側には弾性ピン５と嵌合する貫通孔が設けられている。本考案は、中型や小型の庭の芝生を清掃できるだけでなく、芝生に捨てられたごみを清掃して押し倒された苗をも改めて立てるという有益な効果がある。【選択図】図１
0003207661.tif 000002
【実用新案登録請求の範囲】
【請求項１】
ハンドル（１）と、ホルダ本体（２）と、挿入用溝（３）とを備える芝生ブラシにおいて、前記挿入用溝（３）がホルダ本体（２）の下部に穿設され、前記ハンドル（１）の下部に弾性ピン（５）が設けられ、前記挿入用溝（３）の内に若干のブラシワイヤ（４）が穿設され、前記ホルダ本体（２）の上部に盲穴（１５）が設けられ、前記盲穴（１５）の一方の側には弾性ピン（５）と嵌合する貫通孔が設けられていることを特徴とする芝生ブラシ。
【請求項２】
前記弾性ピン（５）はカバー（６）と台座（７）とを備え、前記台座（７）の中部にバンプ（８）が設けられ、前記カバー（６）はばね（９）によりバンプ（８）に固定されていることを特徴とする、請求項１に記載の芝生ブラシ。
【請求項３】
前記挿入用溝（３）の先端に若干の圧力受け溝（１０）が設けられ、前記ホルダ本体（２）の内部には圧力受け溝（１０）と嵌合する突出リブが設けられていることを特徴とする、請求項１に記載の芝生ブラシ。
【請求項４】
前記挿入用溝（３）の両側のぞれぞれに若干のバックル（１６）が設けられ、前記ホルダ本体（２）の下部に若干の嵌込みスロット（１７）が設けられ、前記バックル（１６）は干渉的に嵌込みスロット（１７）に嵌め込まれていることを特徴とする、請求項１に記載の芝生ブラシ。
【請求項５】
前記ハンドル（１）は中空のものであり、前記ハンドル（１）の下端に第一のプラグ（１１）が穿設されていることを特徴とする、請求項１に記載の芝生ブラシ。
【請求項６】
前記ハンドル（１）の先端に第二のプラグ（１２）が穿設されていることを特徴とする、請求項５に記載の芝生ブラシ。
【請求項７】
前記第二のプラグ（１２）の頂部に第二の凹溝が設けられ、前記第二の凹溝に吊り紐（１３）が穿設されていることを特徴とする、請求項６に記載の芝生ブラシ。
【請求項８】
前記ハンドル（１）にスリーブ（１４）が嵌設されていることを特徴とする、請求項１−７のいずれかに記載の芝生ブラシ。
【請求項９】
前記スリーブ（１４）はＰＶＣ製の軟性の握りスリーブ及び／又はＰＶＣ製のハンドルスリーブを備えることを特徴とする、請求項８に記載の芝生ブラシ。
【請求項１０】
前記したホルダ本体（２）、挿入用溝（３）及びブラシワイヤ（４）の材料は純粋なプラスチック材質であることを特徴とする、請求項１−７のいずれかに記載の芝生ブラシ。
【考案の詳細な説明】
【技術分野】
【０００１】
本実用新案は芝生ブラシに関するものである。
【背景技術】
【０００２】
近年、人工芝は国内ではフットボール競技場専用の新興の芝生となり、その利便性及び迅速に出来管理しやすいことという多くの利点から、広範な消費者の大好きなものとなって来ている。しかしながら、新興の人工芝は施工が面倒なものであり、特に、砂のばらまき及び草のブラッシングの二つの工程での作業は制御されにくく、自動化を実現し難い。現在、人工芝の清潔や砂充填施工、メンテナンスを行う場合、一般に機械設備を採用して整理するが、そんな装置によっては家中の庭における小面積の芝生を清潔することができない。
【０００３】
かかる技術での課題については、現在でまだ有効な解決手段を提案していない。
【考案の概要】
【考案が解決しようとする課題】
【０００４】
本実用新案はかかる技術での上記課題に対して、中型や小型の庭の芝生を清掃できるだけでなく、芝生に捨てられたごみを清掃して押し倒された苗をも改めて立てるようにする。
【課題を解決するための手段】
【０００５】
上記した技術的目的を実現するために、本実用新案にかかる技術的解決手段は下記のとおりである。
【０００６】
ハンドルと、ホルダ本体と、挿入用溝とを備える芝生ブラシにおいて、前記挿入用溝がホルダ本体の下部に穿設され、前記ハンドルの下部に弾性ピンが設けられ、前記挿入用溝の内に若干のブラシワイヤが穿設され、前記ホルダ本体の上部に盲穴が設けられ、前記盲穴の一方の側には弾性ピンと嵌合する貫通孔が設けられている芝生ブラシ。
【０００７】
さらに、前記弾性ピンはカバーと台座とを備え、前記台座の中部にバンプが設けられ、前記カバーはばねによりバンプに固定されている。
【０００８】
さらに、前記挿入用溝の先端に圧力受け溝が設けられ、前記ホルダ本体の内部には圧力受け溝と嵌合する突出リブが設けられている。
【０００９】
さらに、前記挿入用溝の両側のぞれぞれに若干のバックルが設けられ、前記ホルダ本体の下部に若干の嵌込みスロットが設けられ、前記バックルは干渉的に嵌込みスロットに嵌め込まれている。
【００１０】
さらに、前記ハンドルは中空のものであり、前記ハンドルの下端に第一のプラグが穿設されている。
【００１１】
さらに、前記ハンドルの先端に第二のプラグが穿設されている。
【００１２】
さらに、前記第二のプラグの頂部に第二の凹溝が設けられ、前記第二の凹溝に吊り紐が穿設されている。
【００１３】
さらに、前記ハンドルにスリーブが嵌設されている。
【００１４】
さらに、前記スリーブはＰＶＣ製の軟性の握りスリーブ及び／又はＰＶＣ製のハンドルスリーブを備える。
【００１５】
さらに、前記したホルダ本体、挿入用溝及びブラシワイヤの材料は純粋なプラスチック材質である。
【００１６】
本実用新案は、ハンドル、ホルダ本体、挿入用溝及びブラシワイヤが弾性ピンにより接続されるようになり、中型や小型の庭の芝生を清掃できるだけでなく、芝生に捨てられたごみを清掃して押し倒された苗をも改めて立てるという有益な効果がある。
【図面の簡単な説明】
【００１７】
本実用新案の実施例又は従来技術による技術的解決手段をより明確に説明するために、以下、実施例において使用される必要がある図面について簡単に紹介するが、以下の説明における図面は本実用新案のいくつかの実施例に過ぎず、当業者にとっては、創造的労働を払うことなく、これらの図面に基づいて他の図面を得ることもできるのは明らかである。
【図１】本実用新案の実施例にかかる芝生ブラシの分解構造模式図である。
【図２】本実用新案の実施例にかかる芝生ブラシの全体構造模式図である。
【図３】本実用新案の実施例にかかる芝生ブラシにおける挿入用溝及びブラシワイヤの分解構造模式図である。
【考案を実施するための形態】
【００１８】
以下、本実用新案の実施例における図面に合わせて、本実用新案の実施例による技術的解決手段を明確且つ完全に説明するが、説明される実施例は本実用新案の実施例のすべてではなく、単にその一部であることが明らかである。当業者が本実用新案の実施例に基づいて得たあらゆる他の実施例は、本実用新案が保護しようとする範囲に属する。
【００１９】
図１−３に示されるように、本実用新案の実施例にかかる芝生ブラシはハンドル１と、ホルダ本体２と、挿入用溝３とを備え、前記挿入用溝３がホルダ本体２の下部に穿設され、前記ハンドル１の下部に弾性ピン５が設けられ、前記挿入用溝３の内に若干のブラシワイヤ４が穿設され、前記ホルダ本体２の上部に盲穴が設けられ、前記盲穴の一方の側には弾性ピン５と嵌合する貫通孔が設けられている。前記弾性ピン５はカバー６と台座７とを備え、前記台座７の中部にバンプ８が設けられ、前記カバー６はばね９によりバンプ８に固定されており、この構造によれば、構造が簡単になり、着脱しやすくなる。前記挿入用溝３の先端に若干の圧力受け溝１０が設けられ、前記ホルダ本体２の内部には圧力受け溝１０と嵌合する突出リブが設けられており、この構造によれば、挿入用溝３がよりコンパクトでホルダ本体２に接続されるようになる。
【００２０】
本実用新案の一つの具体的な実施例では、前記挿入用溝３の両側のそれぞれに若干のバックル１６が設けられ、前記ホルダ本体２の下部に若干の嵌込みスロット１７が設けられ、前記バックル１６は干渉的に嵌込みスロット１７に嵌め込まれており、この構造によれば、構造が簡単なり、その挿入用溝３とホルダ本体２とがより強固に接続されるようになる。
【００２１】
本実用新案の一つの具体的な実施例では、前記ハンドル１は中空なものであり、前記ハンドル１の下端に第一のプラグ１１が穿設されている。
【００２２】
本実用新案の一つの具体的な実施例では、前記ハンドル１の先端に第二のプラグ１２が穿設されており、この構造によれば、より美観且つきちんとしているものとなる。
【００２３】
本実用新案の一つの具体的な実施例では、前記第二のプラグ１２の頂部に第二の凹溝が設けられ、前記第二の凹溝に吊り紐１３が穿設されており、吊り紐１３によれば、壁に掛けることが可能になり、占用面積を節約して、雑然とした状況を回避する。
【００２４】
本実用新案の一つの具体的な実施例では、前記ハンドル１にスリーブ１４が嵌設されており、スリーブ１４によれば、美観なものになり、快適に使用可能になる。
【００２５】
本実用新案の一つの具体的な実施例では、前記スリーブ１４はＰＶＣ製の軟性の握りスリーブ及び／又はＰＶＣ製のハンドルスリーブを備える。
【００２６】
本実用新案の一つの具体的な実施例では、前記したホルダ本体２、挿入用溝３及びブラシワイヤ４の材料は純粋なプラスチック材質であり、この材料によれば、非常に環境に優しく、何ら金属製の釘もないのみならず、不用になった製品についての回収コストが低くなる。
【００２７】
本実用新案の上記した技術的解決手段を理解しやすくするために、以下、具体的な使用として本実用新案の上記した技術的解決手段について詳細に説明する。
【００２８】
本実用新案にかかる芝生ブラシは具体的に使用される場合、ブラシワイヤ４を挿入用溝３における挿入孔を通してから折り返してホルダ本体２に押し込み、挿入用溝３の頂部に圧力受け溝１０が設けられているため、ホルダ本体２と組み立てられて押し込まれた際に、ホルダ本体２の内部の中間位置に設けられた突出リブによって圧力受け溝１０と嵌合して、ブラシワイヤ４に対する変形を実現し、製品の使用に必要なブラシワイヤ４に対する引張力を達成したようになり、また、ハンドル１の底部をホルダ本体２の盲穴１５内に挿入し、弾性ピン５を貫通孔と嵌合させる。
【００２９】
上記したところをまとめると、本実用新案の上記した技術的解決手段によれば、ホルダ本体２、挿入用溝３及びブラシワイヤ４の嵌合によって、中型や小型の庭の芝生を清掃できるだけでなく、芝生に捨てられたごみを清掃して押し倒された苗をも改めて立てるようになり、また、弾性ピン５によって、ハンドル１とホルダ本体２は迅速に着脱しやすくなる。
【００３０】
上述は本実用新案を制限するためのものではなく、単に本実用新案の好ましい実施例であり、本実用新案の精神と原則においてなされたあらゆる変更、等価取替、改良等は、本実用新案の保護範囲に含まれるべきである。
【符号の説明】
【００３１】
１  ハンドル
２  ホルダ本体
３  挿入用溝
４  ブラシワイヤ
５  弾性ピン
６  カバー
７  台座
８  バンプ
９  ばね
１０  圧力受け溝
１１  第一のプラグ
１２  第二のプラグ
１３  吊り紐
１４  スリーブ
１５  盲穴
１６  バックル
１７  嵌込みスロット
【図１】
0003207661.tif 000003
【図２】
0003207661.tif 000004
【図３】
0003207661.tif 000005